(57)【要約】      （修正有）【課題】操作、使用が簡易、便利である拡大鏡改良構造を提供する。【解決手段】拡大鏡であって、中間部に収納スペースが設けられるフレーム１、フレーム１の片側に設けられる取っ手６、フレーム１の収納スペース１１に設けられる拡大鏡レンズ２、フレーム１の少なくとも一端から光源を提供する複数の発光体３、フレーム１の複数の発光体３を覆うように設けられた、少なくとも一つの光拡散板４、フレーム１の片側の取っ手６に複数の発光体３と電気的に接続する調光ツマミ５を備えてなり、光拡散板４を通すことで、発光体３の光源をやわらかく拡散させ、手にしやすく、力を入れやすい取っ手６及び調光ツマミ５による調光をするように設けられる。【選択図】図３
0003220733.tif 000002
【実用新案登録請求の範囲】
【請求項１】
中間部に収納スペースが設けられるフレーム、前記フレームの片側に設けられる取っ手、前記フレームの収納スペースに設けられる拡大鏡レンズ、少なくとも前記フレームの一端から光源を提供する複数の発光体、前記フレームの前記複数の発光体を覆うように設けられた、少なくとも一つの光拡散板を備えてなることを特徴とする拡大鏡改良構造。
【請求項２】
前記フレームの片側の前記取っ手には、複数の発光体と電気的に接続する調光ツマミが設けられることを特徴とする請求項１に記載の拡大鏡改良構造。
【請求項３】
前記複数の発光体は、発光ダイオードであることを特徴とする請求項１または２に記載の拡大鏡改良構造。
【考案の詳細な説明】
【技術分野】
【０００１】
本考案は拡大鏡に関わり、特に、少なくともフレームの一端に複数の発光体があり、複数の発光体を覆うように設けられる光拡散板、またはフレームに複数の発光体と電気的に接続する調光ツマミを備えてなる拡大鏡改良構造に関する。
【背景技術】
【０００２】
図１、図２に示すのは従来の拡大鏡の立体図、及びもう一つの従来の拡大鏡の立体図であり、従来よく見られる拡大鏡はおおよそ二タイプあり、一つは拡大鏡レンズ１００だけで作られており(図１)、もう一つは拡大鏡レンズ１００の一隅に光源１０１が設けられる（図２）ものである。
前者は拡大鏡レンズ１００だけで作られる拡大鏡で、光源１０１からの照射がなく、使用する時、拡大鏡レンズ１００に影響されるため、拡大された部分がはっきり見えず、後者は一隅に光源１０１があるが、前記光源１０１を直接拡大された部分に当てるように設けられているため、一部分が明るく一部分が暗くなり、光源を均等に柔かく拡大された部分に拡散させることができず、また、前記光源１０１の明るさも拡散させることができないため、実用性にマイナスな影響を及ぼしている。
【先行技術文献】
【特許文献】
【０００３】
【特許文献１】特開平０８−３２７９２０号公報
【考案の概要】
【考案が解決しようとする課題】
【０００４】
上述した従来の技術の不十分さを解決するため、本考案は、少なくともフレームの一端に複数の発光体があり、複数の発光体を覆うように設けられる光拡散板、またはフレームに複数の発光体と電気的に接続する調光ツマミを備えてなる拡大鏡改良構造を提供し、従来技術の欠点を解決することを主な目的とする。
【０００５】
本考案は、光拡散板を通すことで、発光体の光源を柔かく拡散させるように設けられた拡大鏡改良構造を提供することを次の目的とする。
【０００６】
本考案は、使用上の利便性を有効的に向上させ、発光体の光源の有効範囲を広げるように設けられた拡大鏡改良構造を提供することをもう一つの目的とする。
【０００７】
本考案の解決しようとする課題は、従来の拡大鏡は拡大鏡レンズだけで作られており、または拡大鏡レンズの一隅に光源が設けられるものであり、前者は、拡大鏡レンズだけで作られる拡大鏡で、光源からの照射がなく、拡大鏡レンズに影響されるため、拡大された部分がはっきり見えず、後者は一隅に光源があるが、前記光源を直接拡大された部分に当てるように設けられているため、一部分が明るく一部分が暗くなり、光源を均等に柔かく、拡大された部分に拡散させることができず、また、前記光源の明るさも拡散させることができないため、実用性にマイナスな影響を及ぼしている。
【課題を解決するための手段】
【０００８】
上述した目的を達成させるため、本考案は課題を解決するための技術手段として、中間部に収納スペースが設けられるフレーム、前記フレームの片側に設けられる取っ手、前記フレームの収納スペースに設けられる拡大鏡レンズ、少なくとも前記フレームの一端から光源を提供する複数の発光体、前記フレームの前記複数の発光体を覆うように設けられた、少なくとも一つの光拡散板を備えてなることを特徴とする拡大鏡改良構造である。
【０００９】
本考案では前記フレームの片側の前記取っ手には、複数の発光体と電気的に接続する調光ツマミが設けられることを特徴とする。
【００１０】
本考案では、前記複数の発光体は、発光ダイオードであることを特徴とする。
【００１１】
この構造により、本考案は従来技術の効果に対して、少なくともフレームの一端に複数の発光体があり、複数の発光体を覆うように設けられる光拡散板、またはフレームに複数の発光体と電気的に接続する調光ツマミを備えてなる構造により、光拡散板を通すことで、発光体の光源を柔かく拡散させ、使用上の利便性を有効的に向上させ、発光体の光源の有効範囲を広げることができることから、進歩性と実用性があり、使用者のニーズを満たすことができるというメリットがある。
【考案の効果】
【００１２】
本考案の特徴について、中間部に収納スペースが設けられるフレーム、前記フレームの収納スペースに設けられる拡大鏡レンズ、少なくとも前記フレームの一端から光源を提供する複数の発光体、前記フレームの複数の発光体を覆うように設けられた、少なくとも一つの光拡散板を備えてなることを特徴とする拡大鏡改良構造であり、また少なくとも以下の利点を有する。製造が簡単で経済性を有する。操作、使用が簡易、便利であり、実施利便性を有る。
【図面の簡単な説明】
【００１３】
【図１】従来の拡大鏡の立体図。
【図２】従来のもう一つの拡大鏡の立体図。
【図３】本考案の立体分解図。
【図４】本考案の立体組立図。
【図５】本考案の組立断面図。
【図６】本考案の発光体の光源を点灯した実施例図。
【図７】本考案のもう一つの実施例の立体図。
【図８】本考案のもう一つの実施例における発光体の光源を点灯にした実施例図。
【考案を実施するための形態】
【００１４】
図面に合せて、実施例を挙げて詳細に説明する。文中に用いられる図面は、そのコンセプトを補足的に説明するのに用いられるのみで、本考案の実施時の正確な割合または正確な配置に一致するとは限らず、 添付図面の割合またはその配置を以て、本考案の実際の実施時の実用新案登録範囲を制限してはならないことをここで説明しておく。
【００１５】
図３〜８はそれぞれ、本考案の立体分解図、立体組立図、組立断面図、本考案の発光体の光源を点灯した実施例図及びもう一つの実施例の立体図、本考案のもう一つの実施例における発光体の光源を点灯した実施例図であり、本考案の拡大鏡改良構造の好適な実施例は、フレーム１、取っ手６、拡大鏡レンズ２、複数の発光体３、少なくとも一つの光拡散板４を備えてなるものである。
【００１６】
前記フレーム１は、中間部に収納スペース１１が設けられ、本実施例の前記フレーム１は、周りを囲む構造（図３〜６）をなしているが、それを以って、本考案を制限してはならず、上述した周りを囲む構造のほかに、両側（図７〜８）または他の形式を設けられるが、それらは全て、本考案の請求範囲に含まれるものとする。
【００１７】
前記取っ手６は、前記フレーム１の片側に設けられている。
【００１８】
前記拡大鏡レンズ２は、前記フレーム１の収納スペース１１に設けられている。
【００１９】
前記複数の発光体３は、少なくとも前記フレーム１の一端に、光源を提供するように設けられ、前記複数の発光体３は発光ダイオード（ＬＥＤ）であるが、それを以って、本考案を制限してはならず、上述した発光ダイオード（ＬＥＤ）以外の他の発光体３でも、どれも本考案の請求範囲に含まれるものとする。
【００２０】
少なくとも一つの前記光拡散板４は、前記フレーム１の複数の発光体３を覆うように設けられている。
【００２１】
それに、本考案の前記フレーム１の片側の取っ手６には、前記複数の発光体３と電気的に接続する調光ツマミ５が設けられ、調光ツマミ５で、前記複数の発光体３の光源の明るさを制御することができる。
【００２２】
本考案の実施例またはもう一つの実施例は、簡単に用いられ、フレーム１の片側の取っ手６を手にすれば、拡大で使用され、またはフレーム１の片側の取っ手６にある調光ツマミ５で、発光体３の光源の明るさを必要に応じて、調整できるように設けられ、 前記発光体３は光拡散板４があり、前記光拡散板４を通すことで、前記発光体３の光源を柔かく拡散させ、発光体３の光源の有効範囲を広げるように設けられる（図６、図８）。
【００２３】
この構造により、本考案は、少なくともフレーム１の一端に複数の発光体３があり、複数の発光体３を覆うように設けられる光拡散板４、またはフレーム１の片側の取っ手６に複数の発光体３と電気的に接続する調光ツマミ５を備えてなる構造により、光拡散板４を通すことで、発光体３を柔かく拡散させ、または、手にしやすく、力を入れやすい取っ手６及び調光ツマミ５による調光で、使用上の利便性を有効的に向上させ、発光体３の光源の有効範囲を広げることができることから、進歩性と実用性があり、使用者のニーズを満たすことができるというメリットがある。
【００２４】
上述した内容を見て分かるように、本考案は、従来技術の構造を克服して、確実に改善しようとする効果があり、それが、該技術分野の当業者が簡単に思いつくことではなく、そして、本考案は請求前に公開されておらず、進歩性、実用性があり、実用新案登録請求の用件に一致しているため、規定により実用新案登録出願し、本考案の実用新案登録請求を認めていただければと存じる。
【００２５】
上述した実施例は、本考案の技術コンセプトや特徴を説明するのに用いられるのみで、該技術分野の当業者が、本考案の内容を理解して、それに基づいて実施できるようにすることを目的とすることで、それを以て本考案の請求範囲を制限してはならないとし、本考案に掲示されたコンセプトに基づき、それらの変更または改造を行なっても、全て本考案の実用新案登録請求の範囲に含まれるものとする。
【符号の説明】
【００２６】
(従来の場合)
１００…拡大鏡レンズ
１０１…光源
（本考案の場合）
１…フレーム
１１…収納スペース
２…拡大鏡レンズ
３…発光体
４…光拡散板
５…調光ツマミ
６…取っ手
【図１】
0003220733.tif 000003
【図２】
0003220733.tif 000004
【図３】
0003220733.tif 000005
【図４】
0003220733.tif 000006
【図５】
0003220733.tif 000007
【図６】
0003220733.tif 000008
【図７】
0003220733.tif 000009
【図８】
0003220733.tif 000010